(57)【特許請求の範囲】
【請求項１】
発電所の内部に設けられ、個体識別情報を有し、電力を前記発電所の外部に出力するパワーコンディショナと、
前記発電所の外部に設けられるスケジュール設定装置とを備え、
前記スケジュール設定装置は、
識別情報を受け付ける受付部と、
前記受付部によって受け付けられた前記識別情報に対応するスケジュール情報であって出力される電力のスケジュールを示すスケジュール情報を、前記受付部によって受け付けられた前記識別情報を用いて、前記発電所及び前記スケジュール設定装置の外部に設けられるサーバからダウンロードするダウンロード部と、
前記受付部によって受け付けられた前記識別情報と、前記ダウンロード部によってダウンロードされた前記スケジュール情報とを特定のフォーマットのデータに変換する変換部とを有し、
前記パワーコンディショナは、
前記変換部によって得られた前記特定のフォーマットの前記識別情報及び前記スケジュール情報を復元する逆変換部と、
前記逆変換部によって復元された前記識別情報が前記個体識別情報と一致するか否かを判断する判断部と、
前記識別情報が前記個体識別情報と一致すると前記判断部によって判断された場合のみ、前記逆変換部によって復元された前記スケジュール情報を記憶するスケジュール記憶部と、
電力を前記発電所の外部に出力する電力出力部と、
前記スケジュール記憶部に記憶された前記スケジュール情報が示すスケジュールにしたがって、前記電力出力部が前記発電所の外部に出力する電力の量を制御する制御部とを有する
ことを特徴とする電力制御システム。
【請求項２】
前記パワーコンディショナは、前記識別情報が前記個体識別情報と一致しないと前記判断部によって判断された場合、前記識別情報を表示する表示部を更に有することを特徴とする請求項１に記載の電力制御システム。
【請求項３】
前記個体識別情報は、前記パワーコンディショナが持つ固有の情報であることを特徴とする請求項１又は２に記載の電力制御システム。
【請求項４】
前記固有の情報は、前記パワーコンディショナが持つメディアアクセスコントロールアドレスであることを特徴とする請求項３に記載の電力制御システム。
【請求項５】
前記固有の情報は、電力会社から割り振られた前記発電所の識別情報であることを特徴とする請求項３に記載の電力制御システム。
【請求項６】
前記パワーコンディショナは、前記識別情報が前記個体識別情報と一致すると前記判断部によって判断された場合、前記識別情報を記憶する識別情報記憶部を更に有し、
前記判断部は、前記識別情報記憶部に前記識別情報が記憶された後に前記逆変換部によって新たな識別情報が復元された場合、前記新たな識別情報が前記識別情報記憶部に記憶された前記識別情報と一致するか否かを判断し、
前記表示部は、前記新たな識別情報が前記識別情報記憶部に記憶された前記識別情報と一致しないと前記判断部によって判断された場合、前記新たな識別情報を表示し、
前記スケジュール記憶部は、前記新たな識別情報が前記識別情報記憶部に記憶された前記識別情報と一致すると前記判断部によって判断された場合のみ、前記新たな識別情報に対応するスケジュール情報であって前記逆変換部によって復元された前記スケジュール情報を記憶する
ことを特徴とする請求項２に記載の電力制御システム。
【請求項７】
前記スケジュール設定装置は、
前記受付部によって受け付けられた識別情報が前記受付部によって初めて受け付けられた識別情報であるか否かを判定する回数判定部と、
前記受付部によって受け付けられた識別情報が前記受付部によって初めて受け付けられた識別情報であると前記回数判定部によって判定された場合、前記受付部によって受け付けられた識別情報の使用を許可する許可部と、
前記受付部によって受け付けられた識別情報が前記受付部によって初めて受け付けられた識別情報でないと前記回数判定部によって判定された場合、前記受付部によって受け付けられた識別情報を使用するための許可情報が必要であることを示す情報を第２表示部に表示させる表示制御部とを更に有し、
前記受付部は、前記許可情報を受け付ける機能を有し、
前記許可部は、前記受付部によって受け付けられた識別情報が前記受付部によって初めて受け付けられた識別情報でないと前記回数判定部によって判定された場合、前記受付部が前記許可情報を受け付けた後に、前記受付部によって受け付けられた識別情報の使用を許可し、
前記ダウンロード部は、前記許可部によって使用することが許可された識別情報に対応するスケジュール情報を、前記許可部によって使用することが許可された識別情報を用いてダウンロードし、
前記変換部は、前記許可部によって使用することが許可された識別情報と、前記許可部によって使用することが許可された識別情報に対応するスケジュール情報であって前記ダウンロード部によってダウンロードされたスケジュール情報とを特定のフォーマットのデータに変換する
ことを特徴とする請求項１から６のいずれか１項に記載の電力制御システム。
【請求項８】
前記スケジュール設定装置は、
前記受付部が識別情報を受け付けた回数があらかじめ決められた基準回数を超えたか否かを判定する回数判定部と、
前記受付部が識別情報を受け付けた回数が前記基準回数を超えていないと前記回数判定部によって判定された場合、前記受付部が受け付けた識別情報の使用を許可する許可部と、
前記受付部が識別情報を受け付けた回数が前記基準回数を超えたと前記回数判定部によって判定された場合、前記受付部が受け付けた識別情報を使用するための許可情報が必要であることを示す情報を第２表示部に表示させる表示制御部とを更に有し、
前記受付部は、前記許可情報を受け付ける機能を有し、
前記許可部は、前記受付部が識別情報を受け付けた回数が前記基準回数を超えたと前記回数判定部によって判定された場合、前記受付部が前記許可情報を受け付けた後に、前記受付部が受け付けた識別情報の使用を許可し、
前記ダウンロード部は、前記許可部によって使用することが許可された識別情報に対応するスケジュール情報を、前記許可部によって使用することが許可された識別情報を用いてダウンロードし、
前記変換部は、前記許可部によって使用することが許可された識別情報と、前記許可部によって使用することが許可された識別情報に対応するスケジュール情報であって前記ダウンロード部によってダウンロードされたスケジュール情報とを特定のフォーマットのデータに変換する
ことを特徴とする請求項１から６のいずれか１項に記載の電力制御システム。
【請求項９】
前記スケジュール設定装置は、
前記受付部によって受け付けられた識別情報が前記受付部によって初めて受け付けられた識別情報であるか否かを判定する回数判定部と、
時計と、
前記受付部によって受け付けられた識別情報が前記受付部によって初めて受け付けられた識別情報であると前記回数判定部によって判定された場合、前記時計が示す時刻をもとに、前記識別情報が前記受付部によって初めて受け付けられた時刻である初回時刻を示す初回情報を記憶する時刻記憶部と、
前記時計が示す時刻をもとに、前記時刻記憶部に記憶された前記初回情報が示す前記初回時刻からの経過時間があらかじめ設定された基準時間を超えたか否かを判定する時間判定部と、
前記経過時間が前記基準時間を超えていないと前記時間判定部によって判定された場合、前記受付部によって新たな識別情報が受け付けられたとき、前記新たな識別情報の使用を許可する許可部と、
前記経過時間が前記基準時間を超えたと前記時間判定部によって判定された場合、前記受付部によって受け付けられた前記新たな識別情報を使用するための許可情報が必要であることを示す情報を第２表示部に表示させる表示制御部とを更に有し、
前記受付部は、前記許可情報を受け付ける機能を有し、
前記許可部は、前記経過時間が前記基準時間を超えたと前記時間判定部によって判定された後に前記受付部によって前記新たな識別情報が受け付けられた場合、前記受付部によって前記許可情報が受け付けられた後に、前記新たな識別情報の使用を許可し、
前記ダウンロード部は、前記許可部によって使用することが許可された識別情報に対応するスケジュール情報を、前記許可部によって使用することが許可された識別情報を用いてダウンロードし、
前記変換部は、前記許可部によって使用することが許可された識別情報と、前記許可部によって使用することが許可された識別情報に対応するスケジュール情報であって前記ダウンロード部によってダウンロードされたスケジュール情報とを特定のフォーマットのデータに変換する
ことを特徴とする請求項１から６のいずれか１項に記載の電力制御システム。
【請求項１０】
前記パワーコンディショナは、
前記識別情報が前記個体識別情報と一致すると前記判断部によって判断された場合、前記識別情報を記憶する識別情報記憶部と、
時計とを更に有し、
前記識別情報記憶部は、前記時計が示す時刻をもとに、前記識別情報を記憶した初回の時刻である第１の時刻を示す時刻情報を更に記憶し、
前記受付部は、新たな識別情報と、前記新たな識別情報を使用するための許可情報とを受け付ける機能を有し、
前記判断部は、（１）前記時計が示す時刻をもとに、前記識別情報が前記受付部によって受け付けられた後に前記新たな識別情報が前記受付部によって受け付けられた場合、前記逆変換部によって復元された前記新たな識別情報が前記判断部に伝達される時刻である第２の時刻を特定し、（２）前記識別情報記憶部に記憶された前記時刻情報が示す前記第１の時刻から前記第２の時刻までの経過時間があらかじめ設定された基準時間以下であるか否かを判断し、（３）前記経過時間が前記基準時間以下であると判断した場合、前記新たな識別情報が前記識別情報記憶部に記憶された前記識別情報と一致するか否かを判断し、（４）前記経過時間が前記基準時間を超えていると判断した場合、前記受付部が前記許可情報を受け付けた後に、前記新たな識別情報が前記識別情報記憶部に記憶された前記識別情報と一致するか否かを判断し、
前記表示部は、（Ａ）前記経過時間が前記基準時間を超えていると前記判断部によって判断された場合、前記経過時間が前記基準時間を超えていることを示す情報と、前記許可情報が必要であることを示す情報とを表示し、（Ｂ）前記新たな識別情報が前記識別情報記憶部に記憶された前記識別情報と一致しないと前記判断部によって判断された場合、前記新たな識別情報が前記識別情報記憶部に記憶された前記識別情報と一致しないことを示す情報を表示し、
前記スケジュール記憶部は、前記新たな識別情報が前記識別情報記憶部に記憶された前記識別情報と一致すると前記判断部によって判断された場合、前記新たな識別情報に対応するスケジュール情報であって前記逆変換部によって復元された前記スケジュール情報を記憶する
ことを特徴とする請求項２に記載の電力制御システム。
【発明の詳細な説明】
【技術分野】
【０００１】
本発明は、発電所が出力する電力の量を制御する電力制御システムに関する。
【背景技術】
【０００２】
従来、再生可能エネルギを電力に変換する技術が普及しており、再生可能エネルギから得られる電力の売買を管理する技術が提案されている（例えば、特許文献１参照）。電力会社は、再生可能エネルギを用いて発電する発電所が出力する電力の量を発電所毎に割り当てられたスケジュールによって制御しようとする。電力会社のサーバに直接アクセスすることができない発電所は、スケジュールの情報を、中継装置を介して電力会社のサーバから取得し、取得した情報が示すスケジュールにしたがって出力する電力の量を調整する。
【先行技術文献】
【特許文献】
【０００３】
【特許文献１】特開２０１２−１２５０６３号公報
【発明の概要】
【発明が解決しようとする課題】
【０００４】
しかしながら、電力会社のサーバに直接アクセスすることができない発電所は、スケジュールの情報を電力会社のサーバから直接取得するのではなく中継装置を介して取得するので、例えば中継装置に対して不正な操作が行われることによって正規に割り当てられたスケジュールの情報でない情報を取得する可能性がある。発電所が正規に割り当てられたスケジュールの情報でない情報にしたがって電力を商用電力系統に出力すると、商用電力系統における電圧は不安定になる可能性がある。そのため、正規に割り当てられたスケジュールの情報を発電所に使用させることが要求される。
【０００５】
本発明は、上記に鑑みてなされたものであって、正規に割り当てられたスケジュールの情報を発電所に使用させる電力制御システムを得ることを目的とする。
【課題を解決するための手段】
【０００６】
上述した課題を解決し、目的を達成するために、本発明は、発電所の内部に設けられ、個体識別情報を有し、電力を前記発電所の外部に出力するパワーコンディショナと、前記発電所の外部に設けられるスケジュール設定装置とを有する。前記スケジュール設定装置は、識別情報を受け付ける受付部と、前記受付部によって受け付けられた前記識別情報に対応するスケジュール情報であって出力される電力のスケジュールを示すスケジュール情報を、前記受付部によって受け付けられた前記識別情報を用いて、前記発電所及び前記スケジュール設定装置の外部に設けられるサーバからダウンロードするダウンロード部と、前記受付部によって受け付けられた前記識別情報と、前記ダウンロード部によってダウンロードされた前記スケジュール情報とを特定のフォーマットのデータに変換する変換部とを有する。前記パワーコンディショナは、前記変換部によって得られた前記特定のフォーマットの前記識別情報及び前記スケジュール情報を復元する逆変換部と、前記逆変換部によって復元された前記識別情報が前記個体識別情報と一致するか否かを判断する判断部と、前記識別情報が前記個体識別情報と一致すると前記判断部によって判断された場合のみ、前記逆変換部によって復元された前記スケジュール情報を記憶するスケジュール記憶部と、電力を前記発電所の外部に出力する電力出力部と、前記スケジュール記憶部に記憶された前記スケジュール情報が示すスケジュールにしたがって、前記電力出力部が前記発電所の外部に出力する電力の量を制御する制御部とを有する。
【発明の効果】
【０００７】
本発明によれば、正規に割り当てられたスケジュールの情報を発電所に使用させることができるという効果を奏する。
【図面の簡単な説明】
【０００８】
【図１】実施の形態１にかかる電力制御システムの構成を示す図
【図２】実施の形態１におけるスケジュール情報の一例を示す図
【図３】実施の形態２にかかる電力制御システムの構成を示す図
【図４】実施の形態３にかかる電力制御システムにおけるスケジュール設定装置の構成を示す図
【図５】実施の形態４にかかる電力制御システムにおけるスケジュール設定装置の構成を示す図
【図６】実施の形態５にかかる電力制御システムにおけるスケジュール設定装置の構成を示す図
【図７】実施の形態６にかかる電力制御システムの構成を示す図
【図８】実施の形態１から実施の形態６の電力制御システムの各々を構成する少なくとも一部の構成要素が処理回路であることを示す図
【図９】実施の形態１から実施の形態６の電力制御システムの各々を構成する少なくとも一部の構成要素がプロセッサであることを示す図
【発明を実施するための形態】
【０００９】
以下に、本発明の実施の形態にかかる電力制御システムを図面に基づいて詳細に説明する。なお、この実施の形態によりこの発明が限定されるものではない。
【００１０】
実施の形態１．
図１は、実施の形態１にかかる電力制御システム１の構成を示す図である。電力制御システム１は、発電所２の内部に設けられていて、電力を発電所２の外部に出力するパワーコンディショナ４を有する。発電所２は、スタンドアロンの発電所である。発電所２の内部には太陽光パネル３が設けられており、パワーコンディショナ４は太陽光パネル３によって得られた電力をもとにした電力を発電所２の外部の商用電力系統８に出力する。
【００１１】
パワーコンディショナ４は、個体識別情報を有する。個体識別情報の一例は、パワーコンディショナ４が持つ固有の情報である。固有の情報の一例は、電力会社から割り振られた発電所ＩＤ（Identification）やパワーコンディショナ４が持つメディアアクセスコントロールアドレスである。電力会社から割り振られた発電所ＩＤは、電力会社から割り振られた発電所２の識別情報である。電力制御システム１は、発電所２の外部に設けられるスケジュール設定装置５も有する。
【００１２】
次に、電力制御システム１を構成するパワーコンディショナ４及びスケジュール設定装置５の各々の構成を説明する。説明の便宜上、パワーコンディショナ４の構成を説明する前に、スケジュール設定装置５の構成を説明する。スケジュール設定装置５は、パワーコンディショナ４が発電所２の外部に出力する電力のスケジュールを示すスケジュール情報をパワーコンディショナ４に設定するための装置であって、スケジュール設定装置５の外部から識別情報を受け付ける受付部５１を有する。スケジュール設定装置５には、識別情報を受付部５１に入力するための入力装置６が接続されている。受付部５１は、入力装置６によって入力された識別情報を受け付ける。
【００１３】
スケジュール設定装置５は、受付部５１によって受け付けられた識別情報に対応するスケジュール情報であって出力される電力のスケジュールを示すスケジュール情報を、受付部５１によって受け付けられた識別情報を用いて、サーバ７２からダウンロードするダウンロード部５２を更に有する。サーバ７２は、発電所２及びスケジュール設定装置５の外部に位置する電力会社７の内部に設けられる装置であって、スケジュール作成部７１によって作成されたスケジュール情報を記憶する。なお、サーバ７２は、パワーコンディショナ４と直接に通信しない。
【００１４】
スケジュール情報の一例について図２を用いて説明する。図２は、実施の形態１におけるスケジュール情報の一例を示す図である。図２のスケジュール情報は、ある日にパワーコンディショナ４が発電所２の外部に出力する電力のスケジュールを示している。具体的には、図２のスケジュール情報は、ある日の各時刻における定格出力の出力許可率を示しており、０時から１０時までの出力許可率は１００％であり、１０時から１２時までの出力許可率は４０％であり、１２時から１４時までの出力許可率は０％であり、１４時から１６時までの出力許可率は５０％であり、１６時から２４時までの出力許可率は１００％である。
【００１５】
スケジュール設定装置５は、受付部５１によって受け付けられた識別情報と、ダウンロード部５２によってダウンロードされたスケジュール情報を特定のフォーマットのデータに変換する変換部５３を更に有する。変換部５３は、特定のフォーマットの識別情報及びスケジュール情報をパワーコンディショナ４に出力する。
【００１６】
パワーコンディショナ４は、スケジュール設定装置５の変換部５３が出力した特定のフォーマットの識別情報及びスケジュール情報を記憶する変換情報記憶部４１と、変換情報記憶部４１に記憶される情報であって変換部５３によって得られた特定のフォーマットの識別情報及びスケジュール情報を復元する逆変換部４２とを有する。
【００１７】
パワーコンディショナ４は、パワーコンディショナ４の個体識別情報を記憶する個体識別情報記憶部４３と、逆変換部４２によって復元された識別情報が個体識別情報記憶部４３に記憶される個体識別情報と一致するか否かを判断する判断部４４を更に有する。パワーコンディショナ４は、識別情報が個体識別情報と一致しないと判断部４４によって判断された場合、識別情報を表示する表示部４５と、識別情報が個体識別情報と一致すると判断部４４によって判断された場合のみ、逆変換部４２によって復元されたスケジュール情報を記憶するスケジュール記憶部４６を更に有する。スケジュール記憶部４６は、識別情報が個体識別情報と一致しないと判断部４４によって判断された場合、逆変換部４２によって復元されたスケジュール情報を記憶しない。
【００１８】
パワーコンディショナ４は、太陽光パネル３によって得られる直流電力を交流電力に変換するインバータ４９ａを含む電力出力部４９を更に有する。電力出力部４９は、電力を発電所２の外部に出力する。パワーコンディショナ４は、時計４８と、時計４８が示す時刻をもとに、スケジュール記憶部４６に記憶されたスケジュール情報が示すスケジュールにしたがって、電力出力部４９が発電所２の外部に出力する電力の量を制御する制御部４７を更に有する。
【００１９】
上述の電力制御システム１において、ユーザが入力装置６を用いてスケジュール設定装置５の受付部５１に識別情報を入力すると、受付部５１は入力された識別情報を受け付ける。スケジュール設定装置５において、ダウンロード部５２は、受付部５１によって受け付けられた識別情報に対応するスケジュール情報であって出力される電力のスケジュールを示すスケジュール情報を、受付部５１によって受け付けられた識別情報を用いて、電力会社７のサーバ７２からダウンロードする。変換部５３は、受付部５１によって受け付けられた識別情報と、ダウンロード部５２によってダウンロードされたスケジュール情報とを特定のフォーマットのデータに変換し、特定のフォーマットの識別情報及びスケジュール情報をパワーコンディショナ４に出力する。
【００２０】
パワーコンディショナ４において、変換情報記憶部４１は、スケジュール設定装置５の変換部５３が出力した特定のフォーマットの識別情報及びスケジュール情報を記憶する。逆変換部４２は、変換情報記憶部４１に記憶された情報であって変換部５３によって得られた特定のフォーマットの識別情報及びスケジュール情報を復元する。判断部４４は、逆変換部４２によって復元された識別情報が個体識別情報記憶部４３に記憶されている個体識別情報と一致するか否かを判断する。
【００２１】
識別情報が個体識別情報と一致しないと判断部４４によって判断された場合、表示部４５は識別情報を表示する。識別情報が個体識別情報と一致すると判断部４４によって判断された場合のみ、スケジュール記憶部４６は逆変換部４２によって復元されたスケジュール情報を記憶する。制御部４７は、時計４８が示す時刻をもとに、スケジュール記憶部４６に記憶されたスケジュール情報にしたがって、電力出力部４９が発電所２の外部に出力する電力の量を制御する。電力出力部４９のインバータ４９ａは太陽光パネル３によって得られる直流電力を交流電力に変換し、電力出力部４９は、制御部４７により制御され、スケジュール記憶部４６に記憶されたスケジュール情報が示すスケジュールにしたがって電力を発電所２の外部に出力する。
【００２２】
上述の通り、実施の形態１では、ユーザが入力装置６を用いてスケジュール設定装置５の受付部５１に入力した識別情報がパワーコンディショナ４の個体識別情報と一致しない場合、その識別情報に対応するスケジュール情報はスケジュール記憶部４６に記憶されない。ユーザがスケジュール設定装置５の受付部５１に入力した識別情報がパワーコンディショナ４の個体識別情報と一致する場合のみ、入力された識別情報に対応するスケジュール情報はスケジュール記憶部４６に記憶される。つまり、パワーコンディショナ４の個体識別情報に対応するスケジュール情報のみがスケジュール記憶部４６に記憶される。そのため、制御部４７は、パワーコンディショナ４の個体識別情報に対応するスケジュール情報が示すスケジュールにしたがって、電力出力部４９が発電所２の外部に出力する電力の量を制御することができる。
【００２３】
パワーコンディショナ４の個体識別情報に対応するスケジュール情報は、発電所２に正規に割り当てられたスケジュールの情報である。したがって、電力制御システム１は、発電所２に、正規に割り当てられたスケジュールの情報を使用させることができる。加えて、正規に割り当てられたスケジュールの情報が使用されると商用電力系統８における電圧は安定するので、電力制御システム１は、商用電力系統８における電圧を安定させることができる。さらに、電力制御システム１は、発電所２に、正規に割り当てられていない不正なスケジュールの情報が使用されることを抑制することができる。すなわち、電力会社７は、電力会社７が意図したスケジュールで発電所２に電力を出力させることができる。
【００２４】
上述の通り、パワーコンディショナ４の表示部４５は、逆変換部４２によって復元された識別情報が個体識別情報記憶部４３に記憶される個体識別情報と一致しないと判断部４４によって判断された場合、識別情報を表示する。つまり、表示部４５は、個体識別情報と一致する識別情報をスケジュール設定装置５の受付部５１に入力することをユーザに促すことができる。
【００２５】
上述の通り、パワーコンディショナ４の個体識別情報の一例はパワーコンディショナ４が持つ固有の情報であり、固有の情報の一例はパワーコンディショナ４が持つ発電所ＩＤやメディアアクセスコントロールアドレスである。上記の固有の情報、ひいては上記の発電所ＩＤやメディアアクセスコントロールアドレスは、発電所２のユーザでない第三者が知ることが困難な情報である。
【００２６】
そのため、たとえ第三者がパワーコンディショナ４の個体識別情報と異なる識別情報をスケジュール設定装置５の受付部５１に入力してスケジュール設定装置５にスケジュール情報をダウンロードさせても、発電所２では、ダウンロードされたスケジュール情報は使用されない。加えて、たとえ第三者が発電所２に正規に割り当てられていないスケジュール情報をスケジュール設定装置５にダウンロードさせて不正に加工しても、不正に加工されたスケジュール情報は発電所２では使用されない。すなわち、電力制御システム１は、発電所２に、正規に割り当てられたスケジュールの情報を使用させることができる。
【００２７】
実施の形態２．
図３は、実施の形態２にかかる電力制御システム１Ａの構成を示す図である。実施の形態２の電力制御システム１Ａは、実施の形態１の電力制御システム１に類似している。実施の形態２の電力制御システム１Ａは、実施の形態１の電力制御システム１のパワーコンディショナ４とは異なるパワーコンディショナ４Ａを有する。
【００２８】
パワーコンディショナ４Ａは、実施の形態１のパワーコンディショナ４が有するすべての構成要素を有すると共に、識別情報記憶部５０を有する。パワーコンディショナ４Ａが識別情報記憶部５０を有する点が、パワーコンディショナ４Ａとパワーコンディショナ４との相違点である。
【００２９】
識別情報記憶部５０は、逆変換部４２によって復元された識別情報が個体識別情報記憶部４３に記憶される個体識別情報と一致する判断部４４によって判断された場合、逆変換部４２によって復元された識別情報を記憶する。判断部４４は、識別情報記憶部５０に識別情報が記憶された後に新たな識別情報が受付部５１に受け付けられて逆変換部４２によって新たな識別情報が復元された場合、新たな識別情報が識別情報記憶部５０に記憶された識別情報と一致するか否かを判断する。個体識別情報が変更される場合、個体識別情報記憶部４３に記憶される個体識別情報が書き換えられる。つまり、個体識別情報を変更することは可能である。
【００３０】
表示部４５は、新たな識別情報が識別情報記憶部５０に記憶された識別情報と一致しないと判断部４４によって判断された場合、新たな識別情報を表示する。スケジュール記憶部４６は、新たな識別情報が識別情報記憶部５０に記憶された識別情報と一致すると判断部４４によって判断された場合のみ、新たな識別情報に対応するスケジュール情報であって逆変換部４２によって復元されたスケジュール情報を記憶する。
【００３１】
識別情報記憶部５０に記憶された識別情報は、パワーコンディショナ４の個体識別情報と同じ情報であるので、実施の形態２の電力制御システム１Ａも、実施の形態１の電力制御システム１と同様に、発電所２に、正規に割り当てられたスケジュールの情報を使用させることができる。
【００３２】
実施の形態３．
図４は、実施の形態３にかかる電力制御システムにおけるスケジュール設定装置５Ａの構成を示す図である。実施の形態３のスケジュール設定装置５Ａの構成は、実施の形態１又は２のスケジュール設定装置５の構成と異なる。実施の形態３では、主にスケジュール設定装置５Ａについて説明する。実施の形態１又は２のスケジュール設定装置５を、スケジュール設定装置５Ａに置き換えることができる。
【００３３】
スケジュール設定装置５Ａは、スケジュール設定装置５が有する受付部５１、ダウンロード部５２及び変換部５３に加えて、受付部５１によって受け付けられた識別情報が受付部５１によって初めて受け付けられた識別情報であるか否かを判定する第１の回数判定部５４を有する。スケジュール設定装置５Ａは、受付部５１によって受け付けられた識別情報が受付部５１によって初めて受け付けられた識別情報であると第１の回数判定部５４によって判定された場合、受付部５１によって受け付けられた識別情報の使用を許可する第１許可部５５を更に有する。
【００３４】
スケジュール設定装置５Ａは、受付部５１によって受け付けられた識別情報が受付部５１によって初めて受け付けられた識別情報でないと第１の回数判定部５４によって判定された場合、受付部５１によって受け付けられた識別情報を使用するための許可情報が必要であることを示す情報を第２表示部９に表示させる第１表示制御部５６を更に有する。第２表示部９は、スケジュール設定装置５Ａの外部に設けられる装置であって、スケジュール設定装置５Ａに接続されている。許可情報の一例は、パスワードである。
【００３５】
受付部５１は、上記の許可情報を受け付ける機能を有する。第１許可部５５は、受付部５１によって受け付けられた識別情報が受付部５１によって初めて受け付けられた識別情報でないと第１の回数判定部５４によって判定された場合、受付部５１が許可情報を受け付けた後に、受付部５１によって受け付けられた識別情報の使用を許可する。
【００３６】
ダウンロード部５２は、第１許可部５５によって使用することが許可された識別情報に対応するスケジュール情報を、第１許可部５５によって使用することが許可された識別情報を用いてダウンロードする。変換部５３は、第１許可部５５によって使用することが許可された識別情報と、第１許可部５５によって使用することが許可された識別情報に対応するスケジュール情報であってダウンロード部５２によってダウンロードされたスケジュール情報とを特定のフォーマットのデータに変換する。
【００３７】
上述の通り、第１許可部５５は、受付部５１によって受け付けられた識別情報が受付部５１によって初めて受け付けられた識別情報であると第１の回数判定部５４によって判定された場合、受付部５１によって受け付けられた識別情報の使用を許可する。第１許可部５５は、受付部５１によって受け付けられた識別情報が受付部５１によって初めて受け付けられた識別情報でないと第１の回数判定部５４によって判定された場合、受付部５１が許可情報を受け付けた後でなければ、受付部５１によって受け付けられた識別情報の使用を許可しない。
【００３８】
受付部５１によって受け付けられた識別情報が受付部５１によって初めて受け付けられた識別情報でないと第１の回数判定部５４によって判定された場合、第１表示制御部５６は、受付部５１によって受け付けられた識別情報を使用するための許可情報が必要であることを示す情報を第２表示部９に表示させる。
【００３９】
つまり、実施の形態３のスケジュール設定装置５Ａでは、ダウンロード部５２は、受付部５１によって受け付けられた識別情報が受付部５１によって初めて受け付けられた識別情報である場合、規制されることなく、受付部５１によって初めて受け付けられた識別情報を用いてスケジュール情報をダウンロードする。他方、ダウンロード部５２は、受付部５１によって受け付けられた識別情報が受付部５１によって初めて受け付けられた識別情報でない場合、許可情報が入力されないと、スケジュール情報のダウンロードを実行しない。
【００４０】
したがって、実施の形態３のスケジュール設定装置５Ａは、受付部５１によって識別情報が受け付けられると容易にスケジュール情報をダウンロードするのではなく、受付部５１によって識別情報が複数回受け付けられた場合にスケジュール情報が不用意にダウンロードされる可能性を低くすることができる。
【００４１】
加えて、実施の形態３のスケジュール設定装置５Ａは、許可情報を知らないパワーコンディショナ４又はスケジュール設定装置５Ａの設置業者にも識別情報が初めて使用される場合にスケジュール情報がダウンロードされることを許可する。すなわち、スケジュール設定装置５Ａを用いることにより、設置業者はパワーコンディショナ４又はスケジュール設定装置５Ａを設置する場合の初期設定を行うことができる。
【００４２】
実施の形態４．
図５は、実施の形態４にかかる電力制御システムにおけるスケジュール設定装置５Ｂの構成を示す図である。実施の形態４のスケジュール設定装置５Ｂの構成は、実施の形態１又は２のスケジュール設定装置５の構成と異なる。実施の形態４では、主にスケジュール設定装置５Ｂについて説明する。実施の形態１又は２のスケジュール設定装置５を、スケジュール設定装置５Ｂに置き換えることができる。
【００４３】
スケジュール設定装置５Ｂは、スケジュール設定装置５が有する受付部５１、ダウンロード部５２及び変換部５３に加えて、受付部５１が識別情報を受け付けた回数があらかじめ決められた基準回数を超えたか否かを判定する第２の回数判定部５７を有する。スケジュール設定装置５Ｂは、受付部５１が識別情報を受け付けた回数が基準回数を超えていないと第２の回数判定部５７によって判定された場合、受付部５１が受け付けた識別情報の使用を許可する第２許可部５８を更に有する。
【００４４】
スケジュール設定装置５Ｂは、受付部５１が識別情報を受け付けた回数が基準回数を超えたと第２の回数判定部５７によって判定された場合、受付部５１が受け付けた識別情報を使用するための許可情報が必要であることを示す情報を第２表示部９に表示させる第２表示制御部５９を更に有する。第２表示部９は、スケジュール設定装置５Ｂの外部に設けられる装置であって、スケジュール設定装置５Ｂに接続されている。許可情報の一例は、パスワードである。
【００４５】
受付部５１は、上記の許可情報を受け付ける機能を有する。第２許可部５８は、受付部５１が識別情報を受け付けた回数が基準回数を超えたと第２の回数判定部５７によって判定された場合、受付部５１が許可情報を受け付けた後に、受付部５１が受け付けた識別情報の使用を許可する。
【００４６】
ダウンロード部５２は、第２許可部５８によって使用することが許可された識別情報に対応するスケジュール情報を、第２許可部５８によって使用することが許可された識別情報を用いてダウンロードする。変換部５３は、第２許可部５８によって使用することが許可された識別情報と、第２許可部５８によって使用することが許可された識別情報に対応するスケジュール情報であってダウンロード部５２によってダウンロードされたスケジュール情報とを特定のフォーマットのデータに変換する。
【００４７】
上述の通り、第２許可部５８は、受付部５１が識別情報を受け付けた回数が基準回数を超えていないと第２の回数判定部５７によって判定された場合、受付部５１が受け付けた識別情報の使用を許可する。第２許可部５８は、受付部５１が識別情報を受け付けた回数が基準回数を超えたと第２の回数判定部５７によって判定された場合、受付部５１が許可情報を受け付けた後でなければ、受付部５１によって受け付けられた識別情報の使用を許可しない。
【００４８】
受付部５１が識別情報を受け付けた回数が基準回数を超えたと第２の回数判定部５７によって判定された場合、第２表示制御部５９は、受付部５１が受け付けた識別情報を使用するための許可情報が必要であることを示す情報を第２表示部９に表示させる。
【００４９】
つまり、実施の形態４のスケジュール設定装置５Ｂでは、ダウンロード部５２は、受付部５１が識別情報を受け付けた回数が基準回数を超えていない場合、規制されることなく、受付部５１に受け付けられた識別情報を用いてスケジュール情報をダウンロードする。他方、ダウンロード部５２は、受付部５１が識別情報を受け付けた回数が基準回数を超えた場合、許可情報が入力されないと、スケジュール情報のダウンロードを実行しない。
【００５０】
したがって、実施の形態４のスケジュール設定装置５Ｂは、受付部５１によって識別情報が受け付けられると容易にスケジュール情報をダウンロードするのではなく、受付部５１によって識別情報が基準回数を超えて複数回受け付けられた場合にスケジュール情報が不用意にダウンロードされる可能性を低くすることができる。
【００５１】
加えて、実施の形態４のスケジュール設定装置５Ｂは、許可情報を知らないパワーコンディショナ４又はスケジュール設定装置５Ｂの設置業者にも識別情報の使用回数が基準回数以下である場合にスケジュール情報がダウンロードされることを許可する。すなわち、スケジュール設定装置５Ｂを用いることにより、設置業者は、パワーコンディショナ４の個体識別情報と異なる識別情報をスケジュール設定装置５Ｂに誤って入力しても、識別情報が入力された回数が基準回数以下であれば、パワーコンディショナ４の個体識別情報と同じ識別情報をスケジュール設定装置５Ｂに入力し直すことによりパワーコンディショナ４又はスケジュール設定装置５Ｂを設置する場合の初期設定を行うことができる。
【００５２】
実施の形態５．
図６は、実施の形態５にかかる電力制御システムにおけるスケジュール設定装置５Ｃの構成を示す図である。実施の形態５のスケジュール設定装置５Ｃの構成は、実施の形態１又は２のスケジュール設定装置５の構成と異なる。そのため、実施の形態５では、主にスケジュール設定装置５Ｃについて説明する。実施の形態１又は２のスケジュール設定装置５を、スケジュール設定装置５Ｃに置き換えることができる。
【００５３】
スケジュール設定装置５Ｃは、スケジュール設定装置５が有する受付部５１、ダウンロード部５２及び変換部５３に加えて、受付部５１によって受け付けられた識別情報が受付部５１によって初めて受け付けられた識別情報であるか否かを判定する第１の回数判定部５４を有する。スケジュール設定装置５Ｃは、第２時計６０を更に有する。スケジュール設定装置５Ｃは、受付部５１によって受け付けられた識別情報が受付部５１によって初めて受け付けられた識別情報であると第１の回数判定部５４によって判定された場合、第２時計６０が示す時刻をもとに、識別情報が受付部５１によって初めて受け付けられた時刻である初回時刻を示す初回情報を記憶する時刻記憶部６１を更に有する。
【００５４】
スケジュール設定装置５Ｃは、第２時計６０が示す時刻をもとに、時刻記憶部６１に記憶された初回情報が示す初回時刻からの経過時間があらかじめ設定された基準時間を超えたか否かを判定する時間判定部６２を更に有する。スケジュール設定装置５Ｃは、経過時間が基準時間を超えていないと時間判定部６２によって判定された場合、受付部５１によって新たな識別情報が受け付けられたとき、新たな識別情報の使用を許可する第３許可部６３を更に有する。
【００５５】
スケジュール設定装置５Ｃは、経過時間が基準時間を超えたと時間判定部６２によって判定された場合、受付部５１によって受け付けられた新たな識別情報を使用するための許可情報が必要であることを示す情報を第２表示部９に表示させる第３表示制御部６４を更に有する。第２表示部９は、スケジュール設定装置５Ｃの外部に設けられる装置であって、スケジュール設定装置５Ｃに接続されている。許可情報の一例は、パスワードである。
【００５６】
受付部５１は、上記の許可情報を受け付ける機能を有する。第３許可部６３は、経過時間が基準時間を超えたと時間判定部６２によって判定された後に受付部５１によって新たな識別情報が受け付けられた場合、受付部５１によって許可情報が受け付けられた後に、新たな識別情報の使用を許可する。
【００５７】
ダウンロード部５２は、第３許可部６３によって使用することが許可された識別情報に対応するスケジュール情報を、第３許可部６３によって使用することが許可された識別情報を用いてダウンロードする。変換部５３は、第３許可部６３によって使用することが許可された識別情報と、第３許可部６３によって使用することが許可された識別情報に対応するスケジュール情報であってダウンロード部５２によってダウンロードされたスケジュール情報とを特定のフォーマットのデータに変換する。
【００５８】
上述の通り、第３許可部６３は、識別情報が受付部５１によって初めて受け付けられた時刻である初回時刻からの経過時間があらかじめ設定された基準時間を超えていないと時間判定部６２によって判定された場合、受付部５１によって新たな識別情報が受け付けられたとき、新たな識別情報の使用を許可する。第３許可部６３は、経過時間が基準時間を超えたと時間判定部６２によって判定された場合、受付部５１が許可情報を受け付けた後でなければ、受付部５１によって受け付けられた新たな識別情報の使用を許可しない。
【００５９】
経過時間が基準時間を超えたと時間判定部６２によって判定された場合、第３表示制御部６４は、受付部５１によって受け付けられた新たな識別情報を使用するための許可情報が必要であることを示す情報を第２表示部９に表示させる。
【００６０】
つまり、実施の形態５のスケジュール設定装置５Ｃでは、ダウンロード部５２は、経過時間が基準時間を超えていない場合、規制されることなく、受付部５１に受け付けられた新たな識別情報を用いてスケジュール情報をダウンロードする。他方、ダウンロード部５２は、経過時間が基準時間を超えた場合、許可情報が入力されないと、スケジュール情報のダウンロードを実行しない。
【００６１】
したがって、実施の形態５のスケジュール設定装置５Ｃは、受付部５１によって識別情報が受け付けられると容易にスケジュール情報をダウンロードするのではなく、経過時間が基準時間を超えたときに識別情報が受付部５１によって受け付けられた場合、スケジュール情報が不用意にダウンロードされる可能性を低くすることができる。
【００６２】
加えて、実施の形態５のスケジュール設定装置５Ｃは、許可情報を知らないパワーコンディショナ４又はスケジュール設定装置５Ｃの設置業者にも経過時間が基準時間を超えていない場合にスケジュール情報がダウンロードされることを許可する。すなわち、スケジュール設定装置５Ｃを用いることにより、設置業者は、パワーコンディショナ４の個体識別情報と異なる識別情報を誤ってスケジュール設定装置５Ｃに入力しても、経過時間が基準時間を超えていなければ、パワーコンディショナ４の個体識別情報と同じ識別情報をスケジュール設定装置５Ｃに入力し直すことにより、パワーコンディショナ４又はスケジュール設定装置５Ｃを設置する場合の初期設定を行うことができる。
【００６３】
実施の形態６．
図７は、実施の形態６にかかる電力制御システム１Ｂの構成を示す図である。実施の形態６の電力制御システム１Ｂは、実施の形態１の電力制御システム１と同様の構成のシステムである。実施の形態６の電力制御システム１Ｂは、実施の形態１の電力制御システム１のパワーコンディショナ４とは異なるパワーコンディショナ４Ｂを有する。
【００６４】
パワーコンディショナ４Ｂは、判断部４４を除く実施の形態１のパワーコンディショナ４が有するすべての構成要素を有すると共に、第２判断部７６と第２識別情報記憶部７７とを有する。実施の形態６では、実施の形態１との相違点を説明する。
【００６５】
第２判断部７６は、逆変換部４２によって復元された識別情報が個体識別情報記憶部４３に記憶される個体識別情報と一致するか否かを判断する。第２識別情報記憶部７７は、逆変換部４２によって復元された識別情報が個体識別情報記憶部４３に記憶される個体識別情報と一致すると第２判断部７６によって判断された場合、逆変換部４２によって復元された識別情報を記憶する。第２識別情報記憶部７７は、時計４８が示す時刻をもとに、識別情報を記憶した初回の時刻である第１の時刻を示す時刻情報をも記憶する。
【００６６】
スケジュール設定装置５の受付部５１は、新たな識別情報と、新たな識別情報を使用するための許可情報とを受け付ける機能を有する。受付部５１が新たな識別情報を受け付けた場合、スケジュール設定装置５のダウンロード部５２は、受付部５１によって受け付けられた新たな識別情報に対応するスケジュール情報を、受付部５１によって受け付けられた新たな識別情報を用いて、サーバ７２からダウンロードする。
【００６７】
スケジュール設定装置５の変換部５３は、受付部５１によって受け付けられた新たな識別情報と、ダウンロード部５２によってダウンロードされた新たな識別情報に対応するスケジュール情報とを特定のフォーマットのデータに変換してパワーコンディショナ４Ｂに出力する。受付部５１が許可情報を受け付けた場合、変換部５３は許可情報を特定のフォーマットのデータに変換してパワーコンディショナ４Ｂに出力する。パワーコンディショナ４Ｂでは、変換情報記憶部４１がスケジュール設定装置５の変換部５３から出力された情報を記憶し、逆変換部４２が変換情報記憶部４１によって記憶された情報であって変換部５３から出力された情報を復元する。
【００６８】
第２判断部７６は、時計４８が示す時刻をもとに、識別情報が受付部５１によって受け付けられた後に新たな識別情報が受付部５１によって受け付けられた場合、逆変換部４２によって復元された新たな識別情報が第２判断部７６に伝達される時刻である第２の時刻を特定する。第２判断部７６は、第２識別情報記憶部７７に記憶された時刻情報が示す第１の時刻から第２の時刻までの経過時間があらかじめ設定された基準時間以下であるか否かを判断し、経過時間が基準時間以下であると判断した場合、新たな識別情報が第２識別情報記憶部７７に記憶された識別情報と一致するか否かを判断する。第２判断部７６は、経過時間が基準時間を超えていると判断した場合、許可情報を受け付けた後の新たな識別情報を受付部５１が受け付けた後に、新たな識別情報が第２識別情報記憶部７７に記憶された識別情報と一致するか否かを判断する。
【００６９】
表示部４５は、経過時間が基準時間を超えていると第２判断部７６によって判断された場合、経過時間が基準時間を超えていることを示す情報と、許可情報が必要であることを示す情報とを表示する。表示部４５は、新たな識別情報が第２識別情報記憶部７７に記憶された識別情報と一致しないと第２判断部７６によって判断された場合、新たな識別情報が第２識別情報記憶部７７に記憶された識別情報と一致しないことを示す情報を表示する。
【００７０】
スケジュール記憶部４６は、新たな識別情報が第２識別情報記憶部７７に記憶された識別情報と一致すると第２判断部７６によって判断された場合、新たな識別情報に対応するスケジュール情報であって逆変換部４２によって復元されたスケジュール情報を記憶する。
【００７１】
第２識別情報記憶部７７に記憶された識別情報は、パワーコンディショナ４Ｂの個体識別情報と同じ情報であるので、実施の形態６の電力制御システム１Ｂも、実施の形態１の電力制御システム１と同様に、発電所２に、正規に割り当てられたスケジュールの情報を使用させることができる。
【００７２】
上述の通り、第２識別情報記憶部７７に記憶された時刻情報が示す第１の時刻から新たな識別情報が第２判断部７６に伝達された第２の時刻までの経過時間が、基準時間を超えていると第２判断部７６によって判断された場合、表示部４５は、許可情報が必要であることを示す情報を表示する。許可情報が入力され、かつ、新たな識別情報が第２識別情報記憶部７７に記憶された識別情報と一致すると第２判断部７６によって判断された場合、スケジュール記憶部４６は新たな識別情報に対応するスケジュール情報を記憶する。
【００７３】
発電所２のユーザはパワーコンディショナ４Ｂの個体識別情報を認識しているので、その個体識別情報と同一の識別情報を経過時間が基準時間を超えることなくスケジュール設定装置５に入力することができる可能性が高く、スケジュール記憶部４６は、発電所２に正規に割り当てられたスケジュール情報を記憶することができる。そのため、電力制御システム１Ｂは、発電所２に、正規に割り当てられたスケジュールの情報を使用させることができる。
【００７４】
加えて、実施の形態６のパワーコンディショナ４Ｂは、許可情報を知らないパワーコンディショナ４Ｂ又はスケジュール設定装置５の設置業者にも経過時間が基準時間を超えていない場合、正規に割り当てられたスケジュール情報をスケジュール記憶部４６に記憶させることができる。すなわち、パワーコンディショナ４Ｂは、許可情報を知らない設置業者にも経過時間が基準時間を超えていない場合、正規に割り当てられたスケジュール情報を発電所２に使用させることができる。
【００７５】
更に言うと、設置業者は、パワーコンディショナ４Ｂの個体識別情報と異なる識別情報を誤ってスケジュール設定装置５に入力しても、経過時間が基準時間を超えていなければ、パワーコンディショナ４Ｂの個体識別情報と同じ識別情報をスケジュール設定装置５に入力し直すことにより、パワーコンディショナ４Ｂ又はスケジュール設定装置５を設置する場合の初期設定を行うことができる。
【００７６】
なお、実施の形態１から実施の形態６の電力制御システム１、１Ａ及び１Ｂの各々を構成する受付部５１、ダウンロード部５２、変換部５３、逆変換部４２、判断部４４、制御部４７、時計４８、第１の回数判定部５４、第１許可部５５、第１表示制御部５６、第２の回数判定部５７、第２許可部５８、第２表示制御部５９、第２時計６０、時間判定部６２、第３許可部６３、第３表示制御部６４及び第２判断部７６の複数の構成要素の機能の一部又は全部は、処理回路８１によって実現されてもよい。図８は、実施の形態１から実施の形態６の電力制御システム１、１Ａ及び１Ｂの各々を構成する少なくとも一部の構成要素が処理回路８１であることを示す図である。
【００７７】
処理回路８１は、専用のハードウェアである。すなわち、処理回路８１は、例えば、単一回路、複合回路、プログラム化されたプロセッサ、並列プログラム化されたプロセッサ、ＡＳＩＣ(Application  Specific  Integrated  Circuit)、ＦＰＧＡ(Field-Programmable  Gate  Array)、又はこれらを組み合わせたものである。実施の形態１から実施の形態６の電力制御システム１、１Ａ及び１Ｂの各々を構成する複数の構成要素の一部は、残部とは別個の専用のハードウェアであってもよい。
【００７８】
実施の形態１から実施の形態６の電力制御システム１、１Ａ及び１Ｂの各々を構成する複数の構成要素は、メモリ９１に格納されるプログラムを実行するプロセッサ９２であってもよい。図９は、実施の形態１からの実施の形態６の電力制御システム１、１Ａ及び１Ｂの各々を構成する少なくとも一部の構成要素がプロセッサ９２であることを示す図である。プロセッサ９２は、ＣＰＵ（Central  Processing  Unit）、処理装置、演算装置、マイクロプロセッサ、マイクロコンピュータ、又はＤＳＰ(Digital  Signal  Processor)である。
【００７９】
実施の形態１から実施の形態６の電力制御システム１、１Ａ及び１Ｂの各々を構成する少なくとも一部の構成要素がプロセッサ９２である場合、当該少なくとも一部の構成要素の機能は、プロセッサ９２と、ソフトウェア又はファームウェアとにより実現される。ソフトウェア又はファームウェアはプログラムとして記述され、メモリ９１に格納される。プロセッサ９２は、メモリ９１に記憶されたプログラムを読み出して実行することにより、当該一部の構成要素の機能を実現する。
【００８０】
すなわち、実施の形態１から実施の形態６の電力制御システム１、１Ａ及び１Ｂの各々を構成する一部の構成要素がプロセッサ９２である場合、実施の形態１から実施の形態６の電力制御システム１、１Ａ及び１Ｂの各々は、電力制御システム１、１Ａ及び１Ｂの各々を構成する一部の構成要素によって実行されるステップが結果的に実行されることになるプログラムを格納するためのメモリ９１を有する。メモリ９１に格納されるプログラムは、実施の形態１から実施の形態６の電力制御システム１、１Ａ及び１Ｂの各々を構成する一部の構成要素が実行する手順又は方法をコンピュータに実行させるものであるともいえる。メモリ９１は、例えば、ＲＡＭ(Random  Access  Memory)、ＲＯＭ(Read  Only  Memory)、フラッシュメモリ、ＥＰＲＯＭ(Erasable  Programmable  Read  Only  Memory)、ＥＥＰＲＯＭ(Electrically  Erasable  Programmable  Read-Only  Memory)等の、不揮発性又は揮発性の半導体メモリ、磁気ディスク、フレキシブルディスク、光ディスク、コンパクトディスク、ミニディスク又はＤＶＤ(Digital  Versatile  Disk)等である。
【００８１】
実施の形態１から実施の形態６の電力制御システム１、１Ａ及び１Ｂの各々を構成する複数の構成要素の機能について、一部を専用のハードウェアで実現し、残部をソフトウェア又はファームウェアで実現してもよい。このように、実施の形態１から実施の形態６の電力制御システム１、１Ａ及び１Ｂの各々を構成する複数の構成要素の機能は、ハードウェア、ソフトウェアもしくはファームウェア、又はこれらの組み合わせによって実現することができる。
【００８２】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００８３】
１，１Ａ，１Ｂ  電力制御システム、２  発電所、３  太陽光パネル、４，４Ａ，４Ｂ  パワーコンディショナ、５，５Ａ，５Ｂ，５Ｃ  スケジュール設定装置、６  入力装置、７  電力会社、８  商用電力系統、９  第２表示部、４１  変換情報記憶部、４２  逆変換部、４３  個体識別情報記憶部、４４  判断部、４５  表示部、４６  スケジュール記憶部、４７  制御部、４８  時計、４９  電力出力部、４９ａ  インバータ、５０  識別情報記憶部、５１  受付部、５２  ダウンロード部、５３  変換部、５４  第１の回数判定部、５５  第１許可部、５６  第１表示制御部、５７  第２の回数判定部、５８  第２許可部、５９  第２表示制御部、６０  第２時計、６１  時刻記憶部、６２  時間判定部、６３  第３許可部、６４  第３表示制御部、７１  スケジュール作成部、７２  サーバ、７６  第２判断部、７７  第２識別情報記憶部、８１  処理回路、９１  メモリ、９２  プロセッサ。
【図１】
0006745638.tif 000002
【図２】
0006745638.tif 000003
【図３】
0006745638.tif 000004
【図４】
0006745638.tif 000005
【図５】
0006745638.tif 000006
【図６】
0006745638.tif 000007
【図７】
0006745638.tif 000008
【図８】
0006745638.tif 000009
【図９】
0006745638.tif 000010